(57)【要約】【課題】簡単に画像のプリント注文を行うことができるプリント受付装置及びプリントシステムを提供する。【解決手段】携帯機器２００は、非接触ＩＣチップ２３０とＵＷＢ無線通信機２２０を備え、プリント受付装置１００は、リーダ／ライタ１５０とＵＷＢ無線通信機１６０を備えている。携帯機器２００とプリント受付装置１００は、非接触ＩＣチップ２３０とリーダ／ライタ１５０を利用して、ＵＷＢ無線通信機の接続確立に必要な情報を送受信し、ＵＷＢ無線通信を確立する。携帯機器２００からプリント受付装置１００への画像データの転送はＵＷＢ無線通信を利用して行い、プリント料金の決済は非接触ＩＣチップ２３０とリーダ／ライタ１５０を利用して行う。【選択図】      図２
2007226344.tif 000002
【特許請求の範囲】
【請求項１】
携帯機器から画像を取り込んでプリント注文を受け付けるプリント受付装置において、
近接された前記携帯機器との間で近接無線通信を行う近接無線通信手段と、
前記近接無線通信手段を介して前記携帯機器から画像の取り込みを行う画像取込手段と、
前記近接無線通信手段を介して前記携帯機器と近接無線通信し、利用料金の会計処理を行う会計処理手段と、
を備えたことを特徴とするプリント受付装置。
【請求項２】
前記携帯機器との間で無線通信を行う無線通信手段と、
前記近接無線通信手段を介して前記携帯機器と近接無線通信し、前記携帯機器との間で前記無線通信手段による無線接続を確立させるための設定処理を行う接続設定処理手段と、
を備え、前記画像取込手段は、前記無線通信手段を介して前記携帯機器から画像の取り込みを行うことを特徴とする請求項１に記載のプリント受付装置。
【請求項３】
取り込んだ画像のプリントを指示するプリント指示手段と、
取り込んだ画像を前記プリント指示手段からのプリントの指示に応じて印画紙に印画し、写真プリントを生成するプリント手段と、
生成された前記写真プリントを取り出す取出口と、
前記取出口を開閉する開閉手段と、
前記写真プリントの生成前に前記近接無線通信手段を介して前記携帯機器と近接無線通信し、前記携帯機器の識別情報を取得して記憶する識別情報記憶手段と、
前記写真プリントの生成後に前記近接無線通信手段を介して前記携帯機器と無線通信し、前記携帯機器の識別情報を取得して前記識別情報記憶手段に記憶された識別情報と照合する照合手段と、
前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記識別情報記憶手段に記憶された識別情報と一致すると、前記開閉手段により前記取出口を開ける開閉制御手段と、
を備えたことを特徴とする請求項１又は２に記載のプリント受付装置。
【請求項４】
プリント注文を受けて携帯機器から取り込んだ画像を印画紙に印画して写真プリントを生成するプリント受付装置において、
近接された前記携帯機器との間で近接無線通信を行う近接無線通信手段と、
生成された前記写真プリントを取り出す取出口と、
前記取出口を開閉する開閉手段と、
前記写真プリントの生成前に前記近接無線通信手段を介して前記携帯機器と近接無線通信し、前記携帯機器の識別情報を取得して記憶する識別情報記憶手段と、
前記写真プリントの生成後に前記近接無線通信手段を介して前記携帯機器と無線通信し、前記携帯機器の識別情報を取得して前記識別情報記憶手段に記憶された識別情報と照合する照合手段と、
前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記識別情報記憶手段に記憶された識別情報と一致すると、前記開閉手段により前記取出口を開ける開閉制御手段と、
を備えたことを特徴とするプリント受付装置。
【請求項５】
前記携帯機器との間で無線通信を行う無線通信手段と、
前記近接無線通信手段を介して前記携帯機器と近接無線通信し、前記携帯機器との間で前記無線通信手段による無線接続を確立させるための設定処理を行う接続設定処理手段と、
前記無線通信手段を介して前記携帯機器から画像の取り込みを行う画像取込手段と、
を備えたことを特徴とする請求項４に記載のプリント受付装置。
【請求項６】
前記取出口、前記開閉手段を複数備えるとともに、生成された前記写真プリントを前記携帯機器ごとに分類して前記取出口に排出する分類手段を備え、前記開閉制御手段は、前記開閉手段による前記取出口の開閉を個別に制御することを特徴とする請求項３、４又は５に記載のプリント受付装置。
【請求項７】
携帯機器からプリント受付装置に画像を転送して、プリント注文を行うプリントシステムにおいて、
前記携帯機器は、
近接無線通信を行う携帯機器側近接無線通信手段と、
課金情報が記録された課金情報記憶手段と、
を備え、
前記プリント受付装置は、
前記携帯機器側近接無線通信手段との間で近接無線通信を行うプリント受付装置側近接無線通信手段と、
前記携帯機器側近接無線通信手段と前記プリント受付装置側近接無線通信手段とを介して前記携帯機器から画像の取り込みを行う画像取込手段と、
前記携帯機器側近接無線通信手段と前記プリント受付装置側近接無線通信手段とを介して前記携帯機器と近接無線通信し、前記携帯機器の前記課金情報記憶手段に記録された課金情報を処理して、利用料金の会計処理を行う会計処理手段と、
を備えることを特徴とするプリントシステム。
【請求項８】
前記携帯機器は、
無線通信を行う携帯機器側無線通信手段と、
前記携帯機器側無線通信手段による無線接続を確立させるための無線接続情報が記録された無線接続情報記憶手段と、
を備え、
前記プリント受付装置は、
前記携帯機器側無線通信手段との間で無線通信を行うプリント受付装置側無線通信手段と、
前記携帯機器側近接無線通信手段と前記プリント受付装置側近接無線通信手段とを介して前記携帯機器から前記無線接続情報記憶手段に記録された無線接続情報を取得し、前記携帯機器側無線通信手段と前記プリント受付装置側無線通信手段との無線接続を確立させるための設定処理を行う接続設定処理手段と、
を備え、前記画像取込手段は、前記携帯機器側無線通信手段と前記プリント受付装置側無線通信手段とを介して前記携帯機器から画像の取り込みを行うことを特徴とする請求項７に記載のプリントシステム。
【請求項９】
前記携帯機器は、
識別情報が記録された携帯機器側識別情報記憶手段を備え、
前記プリント受付装置は、
取り込んだ画像のプリントを指示するプリント指示手段と、
取り込んだ画像を前記プリント指示手段からのプリントの指示に応じて印画紙に印画し、写真プリントを生成するプリント手段と、
生成された前記写真プリントを取り出す取出口と、
前記取出口を開閉する開閉手段と、
前記写真プリントの生成前、前記携帯機器側近接無線通信手段と前記プリント受付装置側近接無線通信手段とを介して前記携帯機器から前記携帯機器側識別情報記憶手段に記録された識別情報を取得し、記憶するプリント受付装置側識別情報記憶手段と、
前記写真プリントの生成後、前記携帯機器側近接無線通信手段と前記プリント受付装置側近接無線通信手段とを介して前記携帯機器から前記携帯機器側識別情報記憶手段に記録された識別情報を取得し、前記プリント受付装置側識別情報記憶手段に記憶された識別情報と照合する照合手段と、
前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記プリント受付装置側識別情報記憶手段に記憶された識別情報と一致すると、前記開閉手段により前記取出口を開ける開閉制御手段と、
を備えたことを特徴とする請求項７又は８に記載のプリントシステム。
【請求項１０】
携帯機器からプリント受付装置に取り込んだ画像を印画紙に印画して写真プリントを生成するプリントシステムにおいて、
前記携帯機器は、
近接無線通信を行う携帯機器側近接無線通信手段と、
識別情報が記録された携帯機器側識別情報記憶手段と、
を備え、
前記プリント受付装置は、
前記携帯機器側近接無線通信手段との間で近接無線通信を行うプリント受付装置側近接無線通信手段と、
生成された前記写真プリントを取り出す取出口と、
前記取出口を開閉する開閉手段と、
前記写真プリントの生成前、前記携帯機器側近接無線通信手段と前記プリント受付装置側近接無線通信手段とを介して前記携帯機器から前記携帯機器側識別情報記憶手段に記録された識別情報を取得し、記憶するプリント受付装置側識別情報記憶手段と、
前記写真プリントの生成後、前記携帯機器側近接無線通信手段と前記プリント受付装置側近接無線通信手段とを介して前記携帯機器から前記携帯機器側識別情報記憶手段に記録された識別情報を取得し、前記プリント受付装置側識別情報記憶手段に記憶された識別情報と照合する照合手段と、
前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記プリント受付装置側識別情報記憶手段に記憶された識別情報と一致すると、前記開閉手段により前記取出口を開ける開閉制御手段と、
を備えたことを特徴とするプリントシステム。
【請求項１１】
前記携帯機器は、
無線通信を行う携帯機器側無線通信手段と、
前記携帯機器側無線通信手段による無線接続を確立させるための無線接続情報が記録された無線接続情報記憶手段と、
を備え、
前記プリント受付装置は、
前記携帯機器側無線通信手段との間で無線通信を行うプリント受付装置側無線通信手段と、
前記携帯機器側近接無線通信手段と前記プリント受付装置側近接無線通信手段とを介して前記携帯機器から前記無線接続情報記憶手段に記録された無線接続情報を取得し、前記携帯機器側無線通信手段と前記プリント受付装置側無線通信手段との無線接続を確立させるための設定処理を行う接続設定処理手段と、
を備え、前記画像取込手段は、前記携帯機器側無線通信手段と前記プリント受付装置側無線通信手段とを介して前記携帯機器から画像の取り込みを行うことを特徴とする請求項１０に記載のプリントシステム。
【請求項１２】
前記プリント受付装置は、前記取出口、前記開閉手段を複数備えるとともに、生成された前記写真プリントを前記携帯機器ごとに分類して前記取出口に排出する分類手段を備え、前記開閉制御手段は、前記開閉手段による前記取出口の開閉を個別に制御することを特徴とする請求項９、１０又は１１に記載のプリントシステム。
【発明の詳細な説明】
【技術分野】
【０００１】
本発明はプリント受付装置及びプリントシステムに係り、特にデジタルカメラやカメラ付き携帯電話機などの携帯機器から画像を取り込んでプリント注文を受け付けるプリント受付装置及びプリントシステムに関する。
【背景技術】
【０００２】
デジタルカメラやカメラ付き携帯電話機で撮影した画像をプリントする方法の一つとして、ＤＰＥ店の店頭などに設置されているプリント受付装置を利用する方法が知られている。
【０００３】
この種のプリント受付装置では、ユーザのセルフ操作が基本となっており、ユーザはモニタの表示に従って自らプリント受付装置を操作することにより、デジタルカメラ等で撮影した画像のプリント注文を行う。そして、装置に組み込まれた課金装置によって現金やカードで利用料金の支払いを行う。あるいは、ネットワークを通じて決済サーバで利用料金の支払いを行う（たとえば、特許文献１、２、３）。
【０００４】
また、この種のプリント受付装置には、装置内でプリントを行い自動で排出する装置も存在する。
【特許文献１】特開２００５−１６５３７３号公報
【特許文献２】特開２００２−１０９６３１号公報
【特許文献３】特開２００５−６３４２４号公報
【発明の開示】
【発明が解決しようとする課題】
【０００５】
ところで、この種のプリント受付装置では、一般にメモリカードを介して画像の取り込みが行われており、利用に際して、ユーザはデジタルカメラからメモリカードを取り出さなければならないという煩わしさがあった。
【０００６】
また、取り出したメモリカードは、対応するカードスロットに差し込んで画像の取り込みが行われるが、対応するカードスロットがない場合や内蔵メモリに画像を記録するデジタルカメラ等の場合には利用できないという問題もあった。
【０００７】
さらに、メモリカードを抜き差しすることによって、メモリカードが破損するという危険性もあった。
【０００８】
これに対して無線でデジタルカメラから直接画像を取り込む方法も考えられるが、通信を確立させるための設定に手間がかかるという問題がある。
【０００９】
また、プリントの生成までを行うプリント受付装置の場合、一度に大量のプリント注文を行うと、生成されるまでに時間がかかり、その間ユーザが待たされるという問題があった。
【００１０】
また、利用料金の決済方法も現金やカードを利用する方法ではなく、よりスマートに決済を済ませる方法が望まれている。
【００１１】
本発明は、このような事情に鑑みてなされたもので、簡単に画像のプリント注文を行うことができるプリント受付装置及びプリントシステムを提供することを目的とする。
【課題を解決するための手段】
【００１２】
請求項１に係る発明は、前記目的を達成するために、携帯機器から画像を取り込んでプリント注文を受け付けるプリント受付装置において、近接された前記携帯機器との間で近接無線通信を行う近接無線通信手段と、前記近接無線通信手段を介して前記携帯機器から画像の取り込みを行う画像取込手段と、前記近接無線通信手段を介して前記携帯機器と近接無線通信し、利用料金の会計処理を行う会計処理手段と、を備えたことを特徴とするプリント受付装置を提供する。
【００１３】
請求項１に係る発明によれば、近接された携帯機器との間で近接無線通信を行って画像の取り込みを行い、また、利用料金の会計処理を行う。これにより、接続設定の煩わしさや利用料金支払いの煩わしさを伴うことなく簡単に画像のプリント注文の処理を行うことができる。
【００１４】
請求項２に係る発明は、前記目的を達成するために、前記携帯機器との間で無線通信を行う無線通信手段と、前記近接無線通信手段を介して前記携帯機器と近接無線通信し、前記携帯機器との間で前記無線通信手段による無線接続を確立させるための設定処理を行う接続設定処理手段と、を備え、前記画像取込手段は、前記無線通信手段を介して前記携帯機器から画像の取り込みを行うことを特徴とする請求項１に記載のプリント受付装置を提供する。
【００１５】
請求項２に係る発明によれば、近接無線通信手段よりも高速な無線通信手段を利用して携帯機器から画像の取り込みを行う。この際、近接無線通信手段を利用して携帯機器と近接無線通信し、無線通信手段による無線接続を確立させるための設定処理を行う。これにより、煩わしい無線接続の設定処理を行わずに、簡単に画像のプリント注文を行うことができる。
【００１６】
請求項３に係る発明は、前記目的を達成するために、取り込んだ画像のプリントを指示するプリント指示手段と、取り込んだ画像を前記プリント指示手段からのプリントの指示に応じて印画紙に印画し、写真プリントを生成するプリント手段と、生成された前記写真プリントを取り出す取出口と、前記取出口を開閉する開閉手段と、前記写真プリントの生成前に前記近接無線通信手段を介して前記携帯機器と近接無線通信し、前記携帯機器の識別情報を取得して記憶する識別情報記憶手段と、前記写真プリントの生成後に前記近接無線通信手段を介して前記携帯機器と無線通信し、前記携帯機器の識別情報を取得して前記識別情報記憶手段に記憶された識別情報と照合する照合手段と、前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記識別情報記憶手段に記憶された識別情報と一致すると、前記開閉手段により前記取出口を開ける開閉制御手段と、を備えたことを特徴とする請求項１又は２に記載のプリント受付装置を提供する。
【００１７】
請求項３に係る発明によれば、プリント指示手段によってプリントが指示されると、取り込んだ画像がプリント手段によってプリントされ、取出口に排出される。取出口は写真プリントの生成前に閉じられ、写真プリントの生成後、所定の照合処理を行うことにより開けられる。これにより、ユーザが、その場にいなくても写真プリントを安全に取り出すことができる。
【００１８】
請求項４に係る発明は、前記目的を達成するために、プリント注文を受けて携帯機器から取り込んだ画像を印画紙に印画して写真プリントを生成するプリント受付装置において、近接された前記携帯機器との間で近接無線通信を行う近接無線通信手段と、生成された前記写真プリントを取り出す取出口と、前記取出口を開閉する開閉手段と、前記写真プリントの生成前に前記近接無線通信手段を介して前記携帯機器と近接無線通信し、前記携帯機器の識別情報を取得して記憶する識別情報記憶手段と、前記写真プリントの生成後に前記近接無線通信手段を介して前記携帯機器と無線通信し、前記携帯機器の識別情報を取得して前記識別情報記憶手段に記憶された識別情報と照合する照合手段と、前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記識別情報記憶手段に記憶された識別情報と一致すると、前記開閉手段により前記取出口を開ける開閉制御手段と、を備えたことを特徴とするプリント受付装置を提供する。
【００１９】
請求項４に係る発明によれば、取り込んだ画像がプリント手段によってプリントされ、取出口に排出される。取出口は写真プリントの生成前に閉じられ、写真プリントの生成後、所定の照合処理を行うことにより開けられる。これにより、ユーザが、その場にいなくても写真プリントを安全に取り出すことができる。
【００２０】
請求項５に係る発明は、前記目的を達成するために、前記携帯機器との間で無線通信を行う無線通信手段と、前記近接無線通信手段を介して前記携帯機器と近接無線通信し、前記携帯機器との間で前記無線通信手段による無線接続を確立させるための設定処理を行う接続設定処理手段と、前記無線通信手段を介して前記携帯機器から画像の取り込みを行う画像取込手段と、を備えたことを特徴とする請求項４に記載のプリント受付装置を提供する。
【００２１】
請求項５に係る発明によれば、近接無線通信手段よりも高速な無線通信手段を利用して携帯機器から画像の取り込みを行う。この際、近接無線通信手段を利用して携帯機器と近接無線通信し、無線通信手段による無線接続を確立させるための設定処理を行う。これにより、煩わしい無線接続の設定処理を行わずに、簡単に画像のプリント注文を行うことができる。
【００２２】
請求項６に係る発明は、前記目的を達成するために、前記取出口、前記開閉手段を複数備えるとともに、生成された前記写真プリントを前記携帯機器ごとに分類して前記取出口に排出する分類手段を備え、前記開閉制御手段は、前記開閉手段による前記取出口の開閉を個別に制御することを特徴とする請求項３、４又は５に記載のプリント受付装置を提供する。
【００２３】
請求項６に係る発明によれば、取出口を複数備えており、生成された写真プリントを携帯機器ごとに分類して取出口に排出することができる。これにより、前回プリント注文時の写真プリントの回収が行われていなくても、次のプリント注文を行うことができる。
【００２４】
請求項７に係る発明は、前記目的を達成するために、携帯機器からプリント受付装置に画像を転送して、プリント注文を行うプリントシステムにおいて、前記携帯機器は、近接無線通信を行う携帯機器側近接無線通信手段と、課金情報が記録された課金情報記憶手段と、を備え、前記プリント受付装置は、前記携帯機器側近接無線通信手段との間で近接無線通信を行うプリント受付装置側近接無線通信手段と、前記携帯機器側近接無線通信手段と前記プリント受付装置側近接無線通信手段とを介して前記携帯機器から画像の取り込みを行う画像取込手段と、前記携帯機器側近接無線通信手段と前記プリント受付装置側近接無線通信手段とを介して前記携帯機器と近接無線通信し、前記携帯機器の前記課金情報記憶手段に記録された課金情報を処理して、利用料金の会計処理を行う会計処理手段と、を備えることを特徴とするプリントシステムを提供する。
【００２５】
請求項７に係る発明によれば、携帯機器は、近接無線を利用してプリント受付装置に画像を転送し、また、利用料金の会計処理を行う。これにより、接続設定の煩わしさや利用料金支払いの煩わしさを伴うことなく簡単に画像のプリント注文の処理を行うことができる。
【００２６】
請求項８に係る発明は、前記目的を達成するために、前記携帯機器は、無線通信を行う携帯機器側無線通信手段と、前記携帯機器側無線通信手段による無線接続を確立させるための無線接続情報が記録された無線接続情報記憶手段と、を備え、前記プリント受付装置は、前記携帯機器側無線通信手段との間で無線通信を行うプリント受付装置側無線通信手段と、前記携帯機器側近接無線通信手段と前記プリント受付装置側近接無線通信手段とを介して前記携帯機器から前記無線接続情報記憶手段に記録された無線接続情報を取得し、前記携帯機器側無線通信手段と前記プリント受付装置側無線通信手段との無線接続を確立させるための設定処理を行う接続設定処理手段と、を備え、前記画像取込手段は、前記携帯機器側無線通信手段と前記プリント受付装置側無線通信手段とを介して前記携帯機器から画像の取り込みを行うことを特徴とする請求項７に記載のプリントシステムを提供する。
【００２７】
請求項８に係る発明によれば、携帯機器は、近接無線通信手段よりも高速な無線通信によってプリント受付装置に画像を転送する。この際、プリント受付装置は、近接無線によって無線接続情報を携帯機器から取得し、無線通信を確立させるための設定処理を行う。これにより、煩わしい無線接続の設定処理を行わずに、簡単に画像のプリント注文を行うことができる。
【００２８】
請求項９に係る発明は、前記目的を達成するために、前記携帯機器は、識別情報が記録された携帯機器側識別情報記憶手段を備え、前記プリント受付装置は、取り込んだ画像のプリントを指示するプリント指示手段と、取り込んだ画像を前記プリント指示手段からのプリントの指示に応じて印画紙に印画し、写真プリントを生成するプリント手段と、生成された前記写真プリントを取り出す取出口と、前記取出口を開閉する開閉手段と、前記写真プリントの生成前、前記携帯機器側近接無線通信手段と前記プリント受付装置側近接無線通信手段とを介して前記携帯機器から前記携帯機器側識別情報記憶手段に記録された識別情報を取得し、記憶するプリント受付装置側識別情報記憶手段と、前記写真プリントの生成後、前記携帯機器側近接無線通信手段と前記プリント受付装置側近接無線通信手段とを介して前記携帯機器から前記携帯機器側識別情報記憶手段に記録された識別情報を取得し、前記プリント受付装置側識別情報記憶手段に記憶された識別情報と照合する照合手段と、前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記プリント受付装置側識別情報記憶手段に記憶された識別情報と一致すると、前記開閉手段により前記取出口を開ける開閉制御手段と、を備えたことを特徴とする請求項７又は８に記載のプリントシステムを提供する。
【００２９】
請求項９に係る発明によれば、プリント受付装置は、プリント指示手段によってプリントが指示されると、取り込んだ画像をプリント手段によってプリントし、取出口に排出する。取出口は写真プリントの生成前に閉じられ、写真プリントの生成後、所定の照合処理を行うことにより開けられる。これにより、ユーザが、その場にいなくても写真プリントを安全に取り出すことができる。
【００３０】
請求項１０に係る発明は、前記目的を達成するために、携帯機器からプリント受付装置に取り込んだ画像を印画紙に印画して写真プリントを生成するプリントシステムにおいて、前記携帯機器は、近接無線通信を行う携帯機器側近接無線通信手段と、識別情報が記録された携帯機器側識別情報記憶手段と、を備え、前記プリント受付装置は、前記携帯機器側近接無線通信手段との間で近接無線通信を行うプリント受付装置側近接無線通信手段と、生成された前記写真プリントを取り出す取出口と、前記取出口を開閉する開閉手段と、前記写真プリントの生成前、前記携帯機器側近接無線通信手段と前記プリント受付装置側近接無線通信手段とを介して前記携帯機器から前記携帯機器側識別情報記憶手段に記録された識別情報を取得し、記憶するプリント受付装置側識別情報記憶手段と、前記写真プリントの生成後、前記携帯機器側近接無線通信手段と前記プリント受付装置側近接無線通信手段とを介して前記携帯機器から前記携帯機器側識別情報記憶手段に記録された識別情報を取得し、前記プリント受付装置側識別情報記憶手段に記憶された識別情報と照合する照合手段と、前記開閉手段による前記取出口の開閉を制御する開閉制御手段であって、前記写真プリントの生成前に前記開閉手段により前記取出口を閉じ、前記写真プリントの生成後、前記照合手段で照合した識別情報が前記プリント受付装置側識別情報記憶手段に記憶された識別情報と一致すると、前記開閉手段により前記取出口を開ける開閉制御手段と、を備えたことを特徴とするプリントシステムを提供する。
【００３１】
請求項１０に係る発明によれば、プリント受付装置は、携帯機器から取り込んだ画像をプリント手段によってプリントし、取出口に排出する。取出口は写真プリントの生成前に閉じられ、写真プリントの生成後、所定の照合処理を行うことにより開けられる。これにより、ユーザが、その場にいなくても写真プリントを安全に取り出すことができる。
【００３２】
請求項１１に係る発明は、前記目的を達成するために、前記携帯機器は、無線通信を行う携帯機器側無線通信手段と、前記携帯機器側無線通信手段による無線接続を確立させるための無線接続情報が記録された無線接続情報記憶手段と、を備え、前記プリント受付装置は、前記携帯機器側無線通信手段との間で無線通信を行うプリント受付装置側無線通信手段と、前記携帯機器側近接無線通信手段と前記プリント受付装置側近接無線通信手段とを介して前記携帯機器から前記無線接続情報記憶手段に記録された無線接続情報を取得し、前記携帯機器側無線通信手段と前記プリント受付装置側無線通信手段との無線接続を確立させるための設定処理を行う接続設定処理手段と、を備え、前記画像取込手段は、前記携帯機器側無線通信手段と前記プリント受付装置側無線通信手段とを介して前記携帯機器から画像の取り込みを行うことを特徴とする請求項１０に記載のプリントシステムを提供する。
【００３３】
請求項１１に係る発明によれば、携帯機器は、近接無線通信よりも高速な無線通信を利用してプリント受付装置に画像を転送する。この際、プリント受付装置は、近接無線によって無線接続情報を携帯機器から取得し、無線通信を確立させるための設定処理を行う。これにより、煩わしい無線接続の設定処理を行わずに、簡単に画像のプリント注文を行うことができる。
【００３４】
請求項１２に係る発明は、前記目的を達成するために、前記プリント受付装置は、前記取出口、前記開閉手段を複数備えるとともに、生成された前記写真プリントを前記携帯機器ごとに分類して前記取出口に排出する分類手段を備え、前記開閉制御手段は、前記開閉手段による前記取出口の開閉を個別に制御することを特徴とする請求項９、１０又は１１に記載のプリントシステムを提供する。
【００３５】
請求項１２に係る発明によれば、プリント受付装置は、取出口を複数備えており、生成された写真プリントを携帯機器ごとに分類して取出口に排出することができる。これにより、前回プリント注文時の写真プリントの回収が行われていなくても、次のプリント注文を行うことができる。
【発明の効果】
【００３６】
本発明に係るプリント受付装置及びプリントシステムによれば、簡単に画像のプリント注文を行うことができる。
【発明を実施するための最良の形態】
【００３７】
以下添付図面に従って本発明に係るプリント受付装置及びプリントシステムを実施するための最良の形態について詳説する。
【００３８】
図１は、本発明に係るプリントシステムの一実施形態を示すシステム構成図である。
【００３９】
同図に示すように、本実施の形態のプリントシステムは、主として、ユーザが所有する携帯機器（たとえば、デジタルカメラ、携帯電話機、ＰＤＡ、モバイルパソコン、フォトプレーヤ、ハンディーターミナルなどの画像を保有する携帯機器）２００と、そのユーザの携帯機器２００から無線で画像を取り込んでプリント注文を受け付けるプリント受付装置１００とで構成されている。
【００４０】
プリント受付装置１００は、ＤＰＥ店の店頭などに設置され、図１に示すように、携帯機器２００を載置、接触させるためのステージ１１０、タッチパネル付きモニタ１２０、プリント取出口１３０等を備えている。プリント取出口１３０には、カバー１３２が取り付けられており、カバー１３２は、図示しないカバー開閉装置に駆動されて、プリント取出口１３０を開閉する。
【００４１】
図２は、プリント受付装置１００と携帯機器２００の電気的構成を示すブロック図である。
【００４２】
まず、プリント受付装置１００の構成について説明する。
【００４３】
図２に示すように、プリント受付装置１００は、マイコン１４０、タッチパネル付きモニタ１２０、リーダ／ライタ１５０、ＵＷＢ（Ultra Wide Band：超広帯域）無線通信機１６０、フラッシュメモリ１７０、プリンタ１８０、カバー開閉装置１９０等で構成されている。
【００４４】
マイコン１４０は、ＣＰＵ、ＲＯＭ、ＲＡＭ等を備えており、ＣＰＵが、ＲＯＭに格納された所定の制御プログラムを実行することにより、プリント受付装置全体の動作を統括制御する。
【００４５】
タッチパネル付きモニタ１２０は、マイコン１４０からの指令に従って所定の情報を表示する。たとえば、携帯機器２００から読み取った画像やタッチパネルで操作するためのボタン、プリント注文に関する情報等を表示する。ユーザは、このタッチパネル付きモニタ１２０のタッチパネルを操作して、プリント注文等を行う。
【００４６】
リーダ／ライタ１５０は、マイコン１４０からの指令に従ってステージ１１０に載置、接触された携帯機器２００の非接触ＩＣチップ２３０と近接無線通信（たとえば、１０ｃｍ程度の範囲内でのみ通信可能な無線通信）を行う。ステージ１１０には、このリーダ／ライタ１５０のアンテナコイルが敷設されている。ステージ１１０に載置、接触された携帯機器２００の非接触ＩＣチップ２３０は、このアンテナコイルを介して送信されるキャリアの電磁誘導により電力が供給され、キャリアの変調により通信が行われる。
【００４７】
ＵＷＢ無線通信機１６０は、マイコン１４０からの指令に従って携帯機器側のＵＷＢ無線通信機２２０と無線通信を行う。このＵＷＢ無線通信機１６０は、データを広い周波数帯に拡散して送受信し、近距離通信における大容量のデータ通信を行う。
【００４８】
フラッシュメモリ１７０は、携帯機器側から取り込んだ画像の記録やプリント注文を受けたユーザのＩＤ情報等の各種データの記録に用いられる。
【００４９】
プリンタ１８０は、マイコン１４０からの指令に従いプリント注文を受けた画像のプリントを行う。すなわち、所定の印画紙に印画し、写真プリントを生成する。プリンタ１８０で生成された写真プリントは、プリント取出口１３０に排出される。
【００５０】
なお、プリンタ１８０のプリント方式は、特に限定されるものではなく、たとえば、インクジェットプリンタやサーマルプリンタ、レーザープリンタ等を用いることができる。
【００５１】
カバー開閉装置１９０は、マイコン１４０からの指令に従いプリント取出口１３０に設けられたカバー１３２を開閉する。このカバー開閉装置１９０は、たとえばカバー１３２に連結されたシリンダで構成され、カバー１３２を昇降駆動して、プリント取出口１３０を開閉する。
【００５２】
次に、携帯機器２００について説明する。
【００５３】
携帯機器２００は、前述したようにデジタルカメラ、カメラ付き携帯電話機等の画像を保有する携帯機器であり、非接触ＩＣチップを利用した電子決済機能、個人認証機能を備えている。
【００５４】
この携帯機器２００は、図２に示すように、主としてマイコン２１０、ＵＷＢ無線通信機２２０、非接触ＩＣチップ２３０、フラッシュメモリ２４０等を備えている。なお、図２では本実施の形態のプリント受付装置１００との関係で用いられる要素についてのみ示している。したがって、たとえばデジタルカメラの場合には、この他にＣＣＤや画像信号処理回路等の撮影に係わる要素が備えられており、カメラ付き携帯電話機の場合には、更に通話や基地局との通信に係わる要素が備えられている。
【００５５】
マイコン２１０は、ＣＰＵ、ＲＯＭ、ＲＡＭ等を備えており、ＣＰＵが、ＲＯＭに格納された所定の制御プログラムを実行することにより、携帯機器全体の動作を統括制御する。
【００５６】
ＵＷＢ無線通信機２２０は、マイコン２１０からの指令に従ってプリント受付装置側のＵＷＢ無線通信機１６０と無線通信を行う。
【００５７】
非接触ＩＣチップ２３０は、電子決済機能や個人認証機能等を備えたＩＣチップ（たとえば、FeliCa（登録商標））であり、アンテナ、ＣＰＵ、メモリ（フラッシュメモリ）等を備え、プリント受付装置側のリーダ／ライタ１５０と近接無線通信を行って、内蔵するメモリに記録されている情報が読み書きされる。この非接触ＩＣチップ２３０に内蔵されたメモリには、携帯機器側のＵＷＢ無線通信機２２０とプリント受付装置側のＵＷＢ無線通信機１６０との無線接続を確立するための無線接続情報や、携帯機器固有の識別情報、課金情報（プリペイド残額（あらかじめチャージされたプリペイド料金の残額）の情報等）等が記録されている。
【００５８】
フラッシュメモリ２４０は、携帯機器２００に着脱自在なメモリカードや機器内の内蔵メモリであり、画像が記録されている。このフラッシュメモリ２４０に記録されている画像は、プリント受付装置側のＵＷＢ無線通信機１６０と携帯機器側のＵＷＢ無線通信機２２０との無線接続が確立すると、プリント受付装置側からの画像の送信要求によりＵＷＢ無線通信機２２０を介してプリント受付装置１００に送信される。
【００５９】
次に、前記のごとく構成されたプリント受付装置１００によるプリント受付処理の手順について説明する。
【００６０】
図３〜図５は、本実施の形態のプリント受付装置１００によるプリント受付処理の手順を示すフローチャートである。このうち、図３は、携帯機器２００からプリント受付装置１００にプリント用の画像を読み出すまでの手順が示されており、図４には、プリントの注文から実際にプリントを行うまでの手順が示されている。また、図５には、生成されたプリントを取り出す手順が示されている。
【００６１】
まず、図３に従って携帯機器２００からプリント受付装置１００にプリント用の画像を読み出すまでの手順について説明する。
【００６２】
上記のように、プリント受付装置全体の動作はマイコン１４０によって統括制御されている。
【００６３】
まず、マイコン１４０は、図６（ａ）に示すように、タッチパネル付きモニタ１２０にメニュー画面を表示させる（ステップＳ１０）。なお、本実施の形態のプリント受付装置１００では、画像を通常の印画紙に印画する「写真プリント」と、画像をシール用の印画紙に印画する「シールプリント」を選択できるように構成されているものとする。
【００６４】
マイコン１４０は、タッチパネルからの出力に基づいて処理開始が指示されたか否かを判定する（ステップＳ１１）。すなわち、タッチパネル付きモニタ１２０に表示された「写真プリント」又は「シールプリント」のボタンがタッチされたか否か判定する。
【００６５】
タッチパネル付きモニタ１２０に表示された「写真プリント」又は「シールプリント」のボタンがタッチされ、処理開始が指示されたと判定すると、マイコン１４０は、図６（ｂ）に示すように、ステージ１１０への携帯機器２００の接触を促すメッセージ（たとえば、「ステージにデジタルカメラ、携帯電話を接触させて下さい」）をタッチパネル付きモニタ１２０に表示させる（ステップＳ１２）。
【００６６】
ユーザは、タッチパネル付きモニタ１２０の表示に従って自己が所有する携帯機器２００（ここでは、本プリント受付装置１００に対応するデジタルカメラ、カメラ付き携帯電話機）をステージ１１０に接触させる。
【００６７】
ユーザの携帯機器２００がステージ１１０に接触させられると、リーダ／ライタ１５０が、携帯機器２００に備えられた非接触ＩＣチップ２３０と近接無線通信を行うので、マイコン１４０は、このリーダ／ライタ１５０からの出力に基づいて携帯機器２００と近接無線通信が確立したか否か判定し、携帯機器２００がステージ１１０に接触されたか否かを判定する（ステップＳ１３）。
【００６８】
ユーザの携帯機器２００がステージ１１０に接触され、ユーザの携帯機器２００とプリント受付装置１００との間で近接無線通信が確立すると、マイコン１４０は、リーダ／ライタ１５０を介して非接触ＩＣチップ２３０から無線接続情報（携帯機器側のＵＷＢ無線通信機２２０とプリント受付装置側のＵＷＢ無線通信機１６０との無線接続を確立するための接続情報）を取得するための処理を実行する（ステップＳ１４）。そして、この処理の結果、無線接続情報が取得できたか否かを判定する（ステップＳ１５）。
【００６９】
この判定の結果、無線接続情報が取得できないと判定すると、マイコン１４０は、図６（ｃ）に示すように、通信エラーとして、タッチパネル付きモニタ１２０にエラーメッセージ（たとえば、「通信エラー！お使いの機器が対応機種かご確認ください」）を表示し（ステップＳ１９）、処理を終了する。
【００７０】
一方、無線接続情報が取得できたと判定すると、マイコン１４０は、取得した無線接続情報に基づいて携帯機器側のＵＷＢ無線通信機２２０とプリント受付装置側のＵＷＢ無線通信機１６０との接続を確立するための設定処理を行う（ステップＳ１６）。そして、ＵＷＢ無線通信機同士の接続が確立したか否かを判定する（ステップＳ１７）。
【００７１】
この判定の結果、ＵＷＢ無線通信機同士の接続が確立できないと判定すると、マイコン１４０は、図６（ｃ）に示すように、通信エラーとして、タッチパネル付きモニタ１２０にエラーメッセージ（たとえば、「通信エラー！お使いの機器が対応機種かご確認ください」）を表示し（ステップＳ１９）、処理を終了する。
【００７２】
一方、ＵＷＢ無線通信機同士の接続が確立できたと判定すると、そのＵＷＢ無線通信を利用して携帯機器２００に保存されている画像データを取得する処理を実行する（ステップＳ１８）。すなわち、携帯機器２００のフラッシュメモリ２４０に格納されている画像をＵＷＢ無線通信機同士の無線通信により、プリント受付装置１００に転送する。プリント受付装置１００に転送された画像は、プリント受付装置１００のフラッシュメモリに格納される。
【００７３】
以上一連の工程により、携帯機器２００からプリント受付装置１００にプリント用の画像が読み出される。
【００７４】
次に、図４に従ってプリントの注文から実際にプリントを行うまでの手順について説明する。
【００７５】
携帯機器２００のフラッシュメモリ２４０に格納されている全ての画像の読み出しが完了すると、マイコン１４０は、その読み出した画像に基づいてプリント注文の画面を生成し、タッチパネル付きモニタ１２０に表示する（ステップＳ２１）。
【００７６】
このプリント注文の画面は、たとえば、図７に示すように、画像表示領域と操作領域とを備えており、画像表示領域に携帯機器２００から読み出した画像の縮小画像（サムネイル画像）が一覧表示（インデックス表示）される。また、操作領域にプリントサイズの選択ボタン、プリント枚数の入力ボタン（テンキー）、プリント注文の中止を指示するボタン（「止める」ボタン）、プリント注文の完了を指示するボタン（「注文完了」ボタン）等が表示される。
【００７７】
なお、画像表示領域には、たとえば、一度に９枚分の画像の縮小画像が一覧表示されるものとし、９枚を超える画像が携帯機器２００から読み出されている場合には、複数回に分けて読み出した画像が表示されるものとする。すなわち、頁送り／頁戻しを行うことにより、９枚ずつ画像が切り替えられて表示されるものとする。９枚を超える画像が携帯機器２００から読み出された場合には、画像表示領域に頁送りボタン／頁戻しボタンが表示され、この頁送りボタン／頁戻しボタンをタッチすることにより、頁送り／頁戻しが指示される。また、画像表示領域に一覧表示された各縮小画像の下には、その画像に対して行われたプリント注文のサイズ及び枚数が表示される。
【００７８】
ユーザは、プリント注文を行う画像の縮小画像をタッチして選択し、プリントサイズの選択ボタン及びプリント枚数の入力ボタンを操作して、選択した画像のプリントサイズ及びプリント枚数を指定する。なお、画像がタッチされると、当該画像が選択フレームで囲われ、選択されたことが明示的に示されるものとする。
【００７９】
プリントしようとする全ての画像に対するプリント注文が完了すると、ユーザは、注文完了ボタンをタッチし、プリント注文が完了したことをプリント受付装置１００に指示する。
【００８０】
マイコン１４０は、タッチパネルからの出力に基づいてプリント注文が完了したか否かを判定する（ステップＳ２２）。そして、プリント注文が完了したと判定すると、注文された内容に基づいて利用料金の計算を行う（ステップＳ２３）。この計算は所定の計算プログラムに従って行われる。
【００８１】
利用料金の計算が完了すると、マイコン１４０は、注文確認の画面を生成し、タッチパネル付きモニタ１２０に表示する（ステップＳ２４）。この注文確認画面には、図８に示すように、注文内容、利用料金とともに、その注文内容、利用料金の了承を指示するボタン（「次へ」ボタン）、注文のやり直しを指示するボタン（「やり直し」ボタン）、注文の取りやめを指示する（「止める」ボタン）が表示され、ユーザは、注文内容、利用料金を確認して、いずれかのボタンをタッチする。マイコン１４０は、タッチパネルからの出力に基づいて注文内容、利用料金の了承が得られたか否かを判定する（ステップＳ２５）。
【００８２】
ここで、了承が得られないと判定すると、マイコン１４０は、注文のやり直しが指示されたか否かを判定する（ステップＳ３４）。そして、やり直しが指示されたと判定すると、ステップＳ２１に戻り、はじめから注文受付のやり直しを行い、注文の取り止めが指示されたと判定すると、処理を終了する。
【００８３】
ステップＳ２５において、注文内容、利用料金の了承が得られたと判定すると、マイコン１４０は、携帯機器２００を用いて決済を行うために、図８（ｂ）に示すように、ステージ１１０への携帯機器２００の接触を促すメッセージ（たとえば、「御会計を行います。ステージにデジタルカメラ、携帯電話を接触させて下さい」）をタッチパネル付きモニタ１２０に表示させる（ステップＳ２６）。ユーザは、タッチパネル付きモニタ１２０の表示に従って自己が所有する携帯機器２００をステージ１１０に接触させる。
【００８４】
ユーザの携帯機器２００がステージ１１０に接触させられると、リーダ／ライタ１５０が、携帯機器２００に備えられた非接触ＩＣチップ２３０と近接無線通信を行うので、マイコン１４０は、このリーダ／ライタ１５０からの出力に基づいて携帯機器２００と近接無線通信が確立したか否か判定し、携帯機器２００がステージ１１０に接触させられた否かを判定する（ステップＳ２７）。
【００８５】
ユーザの携帯機器２００がステージ１１０に接触され、ユーザの携帯機器２００とプリント受付装置１００との間で近接無線通信が確立すると、マイコン１４０は、リーダ／ライタ１５０を介して非接触ＩＣチップ２３０から課金情報を取得し、決済処理が可能か否かを判定する（ステップＳ２８）。すなわち、携帯機器２００から取得したプリペイド残額が利用料金以上か否か判定し、決済が可能か否かを判定する。
【００８６】
ここで、プリペイド残額が利用料金を下回っており、決済不能と判定すると、マイコン１４０は、図８（ｃ）に示すように、タッチパネル付きモニタ１２０にエラーメッセージ（たとえば、「残額不足です」）を表示し（ステップＳ３５）、処理を終了する。
【００８７】
一方、プリペイド残額が利用料金以上あり、決済可能と判定すると、マイコン１４０は、所定の決済処理を実行する。また、これと同時にマイコン１４０は、携帯機器固有の識別情報を非接触ＩＣチップのメモリから取得し、フラッシュメモリ１７０に記録する（ステップＳ２９）。この識別情報は、生成した写真プリントを取出口１３０から取り出す際のキーとして使用される。
【００８８】
以上一連の工程でユーザが行うプリント注文の処理は完了する。そして、このプリント注文の処理が完了すると、マイコン１４０は、受け付けたプリント注文の内容に基づき写真プリントを生成する処理を開始する。
【００８９】
まず、カバー開閉装置１９０を駆動して、カバー１３２を下ろし、プリント取出口１３０を閉める（ステップＳ３０）。これは生成された写真プリントが、第三者に持ち出されるのを防止するためである。
【００９０】
次いで、受け付けたプリント注文の内容に基づきプリントデータを生成し、プリンタ１８０にて順次プリント処理を実行する（ステップＳ３１）。
【００９１】
ここで、生成された写真プリントは、プリント取出口１３０に排出されるが、プリント取出口１３０はカバー１３２で閉じられているため、勝手に第三者に取り出されることはない。したがって、プリント注文を行ったユーザは、写真プリントが出来上がるまでの間、常にプリント受付装置１００の側にいる必要はなく、その場を離れていることができる。
【００９２】
なお、プリント処理中、マイコン１４０は、図８（ｄ）に示すように、プリント処理中である旨のメッセージ（たとえば、「プリント中です。しばらくお待ちください」）とともに、プリント処理の進行の度合いを示すインジケータをタッチパネル付きモニタ１２０に表示させる。
【００９３】
マイコン１４０は、注文された全ての画像のプリント処理が完了したか否か判定し（ステップＳ３２）、全てのプリントが完了したと判定すると、図８（ｅ）に示すように、プリント完了のメッセージ（たとえば、「プリントが完了しました。デジタルカメラ、携帯電話をステージに接触させて下さい」）をタッチパネル付きモニタ１２０に一定時間表示させる（ステップＳ３３）。
【００９４】
この際、プリント注文を行ったユーザが、その場にいるときは、タッチパネル付きモニタ１２０の表示に従ってステージ１１０にユーザの携帯機器２００を接触させ、写真プリントの取り出し処理を行う。
【００９５】
一方、ユーザがプリント受付装置１００の側に居らず、プリント完了のメッセージの表示開始から何も行われずに一定時間が経過すると、マイコン１４０は、図９（ａ）に示すように、写真プリント取り出しのスタート画面を表示させる。
【００９６】
次に、図５に従って生成された写真プリントの取り出し処理の手順について説明する。
【００９７】
上記のように、プリント完了のメッセージの表示開始から何も行われずに一定時間が経過すると、マイコン１４０は、図９（ａ）に示すように、写真プリント取り出しのスタート画面をタッチパネル付きモニタ１２０に表示させる（ステップＳ４０）。
【００９８】
ユーザは、このタッチパネル付きモニタ１２０に表示された写真プリントの取り出しのスタート画面に従ってスタートボタンをタッチし、写真プリントの取り出し処理の開始を指示する。
【００９９】
マイコン１４０は、タッチパネルからの出力に基づいて写真プリントの取り出し処理の開始が指示されたか否かを判定する（ステップＳ４１）。そして、処理開始が指示されたと判定すると、マイコン１４０は、携帯機器２００を用いてユーザの認証を行うため、図９（ｂ）に示すように、ステージ１１０への携帯機器２００の接触を促すメッセージ（たとえば、「ステージにデジタルカメラ、携帯電話を接触させて下さい」）をタッチパネル付きモニタ１２０に表示させる（ステップＳ４２）。ユーザは、タッチパネル付きモニタ１２０の表示に従って自己が所有する携帯機器２００をステージ１１０に接触させる。
【０１００】
ユーザの携帯機器２００がステージ１１０に接触させられると、リーダ／ライタ１５０が、携帯機器２００に備えられた非接触ＩＣチップ２３０と近接無線通信を行うので、マイコン１４０は、このリーダ／ライタ１５０からの出力に基づいて携帯機器２００と近接無線通信が確立したか否か判定し、携帯機器２００がステージ１１０に接触させられたか否かを判定する（ステップＳ４３）。
【０１０１】
なお、プリント完了メッセージの表示中にユーザが自己の携帯機器２００がステージ１１０に接触させた場合も、マイコン１４０は、リーダ／ライタ１５０からの出力に基づいて携帯機器２００と近接無線通信が確立したか否か判定し、携帯機器２００がステージ１１０に接触させられたか否かを判定する（ステップＳ４３）。
【０１０２】
ユーザの携帯機器２００がステージ１１０に接触され、ユーザの携帯機器２００とプリント受付装置１００との間で近接無線通信が確立すると、マイコン１４０は、リーダ／ライタ１５０を介して非接触ＩＣチップ２３０から携帯機器固有の識別情報を取得する処理を実行する（ステップＳ４４）。そして、識別情報が取得できたか否かを判定する（ステップＳ４５）。
【０１０３】
ここで、識別情報が取得できなかった場合、マイコン１４０は、認証エラーとして、図９（ｃ）に示すように、所定のエラーメッセージ（たとえば、「認証できませんでした。ご注文時の機器をご確認ください。」）をタッチパネル付きモニタ１２０に表示させ（ステップＳ４９）、処理を終了する。
【０１０４】
一方、識別情報が取得できた場合、マイコン１４０は、フラッシュメモリ１７０に記録されている注文時の識別情報と、今回取得した識別情報とが一致するか照合する（ステップＳ４６）。そして、その照合結果に基づいて、注文時の識別情報と今回取得した識別情報とが一致するか否か判定する（ステップＳ４７）。
【０１０５】
この判定の結果、注文時の識別情報と今回取得した識別情報とが一致しないと判定すると、マイコン１４０は、認証エラーとして、図９（ｃ）に示すように、所定のエラーメッセージ（たとえば、「認証できませんでした。ご注文時の機器をご確認ください。」）をタッチパネル付きモニタ１２０に表示させ（ステップＳ４９）、処理を終了する。
【０１０６】
一方、注文時の識別情報と今回取得した識別情報とが一致すると判定すると、マイコン１４０は、カバー開閉装置１９０を駆動して、プリント取出口１３０を閉じていたカバー１３２を上昇させ、プリント取出口１３０を開ける（ステップＳ４８）。これと同時に図９（ｄ）に示すように、認証が成功した旨のメッセージと写真プリントの取り出しを促すメッセージ（たとえば、「認証しました。写真プリントを取出口からお取りください」）をタッチパネル付きモニタ１２０に表示させる。
【０１０７】
ユーザは、このタッチパネル付きモニタ１２０に表示されたメッセージに従ってプリント取出口１３０から出来上がった写真プリントを取り出す。
【０１０８】
以上一連の工程で写真プリントの注文からプリントの受け取りまでが完了する。
【０１０９】
このように、本実施の形態のプリント受付装置１００及び携帯機器２００によれば、面倒な結線作業やメモリカードの差し替えなどを行うことなく無線でプリント用の画像の読み出しを行うことができるので、簡単にプリント注文を行うことができる。また、メモリカードの差し替えの必要がないので、メモリカードの破損やデータの破壊のおそれもなく、安全にプリント注文の処理を行うことができる。
【０１１０】
また、面倒な設定作業を行うことなくＵＷＢ無線通信の接続設定を行うことができるので、この種の作業に慣れていないユーザであっても簡単に利用することができる。
【０１１１】
また、利用料金の決済もいわゆる電子マネーを利用して行われるので、面倒な小銭の取り出しなどを行うことなく、迅速かつ正確に会計処理を行うことができる。
【０１１２】
さらに、プリント注文を行うと、プリント取出口１３０が閉じられ、注文を行ったユーザしか取り出すことができなくなるため、安全に写真プリントの取り出しを行うことができる。また、大量にプリント注文を行った場合であっても、その場で待つ必要がなくなるので、ユーザが時間を有効に活用することができる。
【０１１３】
なお、このようにプリント取出口１３０をロックすると、先に利用したユーザが写真プリントの取り出しを行うまで、次のユーザが利用できなくなるが、このような不具合はプリント取出口１３０を複数設けることにより対応することができる。
【０１１４】
この場合、生成した写真プリントを各プリント取出口１３０に分配する分配機構を設置し、ユーザごと個別にプリント取出口１３０に排出できるように構成する。また、各プリント取出口１３０には、個別にカバー１３２を設置し、個別に開閉できるように構成する。
【０１１５】
図１０はプリント取出口を二つ設置したプリント受付装置のプリント取り出し部の構成を示す斜視図である。
【０１１６】
同図に示すように、このプリント受付装置には、生成された写真プリントを個別に収容するプリント収容ボックス３００Ａ、３００Ｂを二つ備えている。二つのプリント収容ボックス３００Ａ、３００Ｂは、並列して配置されており、その前面に各プリント収容ボックス３００Ａ、３００Ｂに収容された写真プリントを取り出すためのプリント取出口１３０Ａ、１３０Ｂが形成されている。各プリント取出口１３０Ａ、１３０Ｂには、カバー１３２Ａ、１３２Ｂが取り付けられており、個別に開閉できるように構成されている。
【０１１７】
プリンタで生成された写真プリントＰは、プリンタの排出口３０２とプリント収容ボックス３００Ａ、３００Ｂの間に設置されたシュータ３０４を滑り落ちてプリント収容ボックス３００Ａ、３００Ｂに収容される。このシュータ３０２には、一対のガイドフレーム３０６、３０６が揺動自在に設けられており、排出口３０２から排出された写真プリントＰは、このガイドフレーム３０６、３０６にガイドされて、各プリント収容ボックス３００Ａ、３００Ｂに分別されて収容される。
【０１１８】
なお、ガイドフレーム３０６、３０６は、図示しない駆動手段（たとえば、モータ）に駆動されて、上端部を支点に揺動自在に設けられており、マイコンは、この駆動手段の駆動を制御して、ガイドフレーム３０６の揺動を制御する。すなわち、排出口３０２から排出された写真プリントＰをプリント収容ボックス３００Ａに収容する場合は、プリント収容ボックス３００Ａ側にガイドフレーム３０６を揺動させ（図１０において点線で示す状態）、プリント収容ボックス３００Ｂに収容する場合は、プリント収容ボックス３００Ｂ側にガイドフレーム３０６を揺動させる（図１０において実線で示す状態）。これにより、生成された写真プリントを各プリント収容ボックス３００Ａ、３００Ｂに分別して収容することができる。
【０１１９】
なお、各プリント取出口１３０Ａ、１３０Ｂにおけるカバー１３２Ａ、１３２Ｂの開閉は個別に行うものとし、マイコン１４０は、個別にユーザ認証を行って各プリント取出口１３０Ａ、１３０Ｂのカバー１３２Ａ、１３２Ｂを開閉する。
【０１２０】
このように複数のプリント取出口１３０Ａ、１３０Ｂを備えることにより、一台の装置で複数の利用者に対応することができるようになる。
【０１２１】
なお、上記の例では、プリント取出口を二つ備えた場合について説明したが、プリント取出口の数は、これに限定されるものではない、プリント取出口の数を更に増やすことにより、より多くの利用者に対応することができるようになる。
【０１２２】
なお、上記実施の形態では、画像転送用に利用する無線通信手段として、ＵＷＢ無線通信機を用いているが、画像転送用に利用する無線通信手段は、これに限定されるものではない。この他、無線ＬＡＮやBluetooth（登録商標）等の無線通信手段を利用してもよい。なお、画像データは比較的要領が大きいため、高速通信が可能な無線通信手段を用いることが好ましい。
【０１２３】
また、上記実施の形態では、近接無線通信でＵＷＢ無線通信の初期設定を行い、ＵＷＢ無線通信で画像データの読み出しを行うようにしているが、近接無線通信で十分な通信速度を確保できる場合には、近接無線通信を利用して携帯機器２００からプリント受付装置１００に画像データを読み出すようにしてもよい。この場合、ＵＷＢ無線通信機は不要となり、構成を簡略化することができる。
【０１２４】
また、上記実施の形態では、一台のプリント受付装置１００でプリントの注文からプリントの生成までを行うように構成しているが、プリントの注文のみを受け付ける装置として構成してもよい。この場合、たとえば、プリント受付装置は、プリント注文の受け付け（注文データと画像データの取得し）のみを行い、プリント及び決済はＤＰＥ店等が行うようにする。あるいは、注文の受け付けと決済のみを行い、プリントはＤＰＥ店等が行うようにする。なお、この場合、ＤＰＥ店等での写真プリントの受け取り、決済は、携帯機器２００の近接無線通信を利用して行うことが好ましい。
【０１２５】
また、プリント注文だけを行う場合と、プリントまで行う場合とをユーザが選択できるようにしてもよい。すなわち、たとえば、プリント注文だけを行うモード（注文モード）と、プリントまで行うモード（プリントモード）とをメニュー画面等で選択可能に構成する。そして、注文モードが選択されると、プリント受付装置１００は、プリント注文の受付のみを行い、実際のプリントはＤＰＥ店等が行うように構成する。また、プリントモードが選択されると、プリント受付装置１００は、プリントが指示されたものとして、プリント注文の受け付けと、実際のプリントを行うように構成する。なお、この場合、決済は、プリント受付装置１００で行うようにしてもよいし、ＤＰＥ店で行うようにしてもよい。
【０１２６】
また、本実施の形態では、携帯機器２００のフラッシュメモリ２４０に格納されている全画像をプリント受付装置１００に取り込み、取り込んだ画像の中からプリントする画像をプリント受付装置１００で選択するように構成しているが、プリントする画像をあらかじめ携帯機器側で選択し、選択した画像をプリント受付装置１００に取り込むようにしてもよい。この場合、店頭で画像を選択する手間が省け、迅速にプリントの注文を行うことができるようになる。
【０１２７】
なお、近接無線通信を利用した決済は、たとえば、ＦｅｌｉＣａ（登録商標）等で行われている公知の決済方法を用いることができ、プリペイド料金のチャージ等も公知の手法を用いて行うことができる。たとえば、決済代行会社が、事前にチャージされたプリペイド料金を一括管理し、プリント受付装置のオーナーに利用された金額を定期的に支払うように構成する。また、プリペイド料金のチャージは、専用の料金登録機を用いて現金と引き換えに行うように構成する。
【０１２８】
なお、決済は、本実施の形態のように非接触ＩＣチップの電子決済機能を利用するのではなく、インターネットを利用した公知の決済手続を利用するようにしてもよい。たとえば、インターネットを介してプリント受付装置を所定の決済サーバに接続し、携帯機器２００の識別情報を利用して、決済サーバで決済を行うようにする。また、クレジットカードを利用して、決済を行うようにしてもよい。
【０１２９】
また、本実施の形態では、携帯機器２００からプリント受付装置１００に画像データを読み出す際、携帯機器２００のフラッシュメモリに格納されている全ての画像データを読み出すようにしているが、初めにサムネイル画像データのみを読み出し、プリント注文画面を生成し、プリント注文の受け付け後、注文された画像の本画像データを携帯機器２００からプリント受付装置１００に読み出すようにしてもよい。これにより、プリント注文画面の生成を素早く行うことができる。なお、本実施の形態のように、プリント注文時に携帯機器２００からプリント受付装置１００に全ての画像データを読み出すことにより、その後に予期せぬ故障、エラーが発生するリスクを軽減させることができる。また、プリント中に本画像を受信する必要がなくなるため、プリント受付装置１００のプリント時の処理負荷を軽減することができる。
【０１３０】
なお、プリント中にエラーが発生した場合には、その時点でタッチパネル付きモニタ１２０に所定のエラーメッセージを表示し、プリント処理を中断するものとする。この場合、既に決済済みのときは、所定の操作ガイダンスをタッチパネル付きモニタ１２０に表示して、料金の払い戻し処理を行うものとする（ステージ１１０に携帯機器２００を接触させて、内蔵された非接触ＩＣチップのメモリを書き換える）。
【０１３１】
また、所定の警報手段（ブザー、音声等）をプリント受付装置に設置し、エラーが生じた場合には、警報手段によってオーナーにエラーが生じている旨を通知するように構成することが好ましい。
【０１３２】
また、本実施の形態では、プリント注文を行う際、プリントする画像、プリント枚数、プリントサイズを個別に選択できるようにしているが、プリント枚数、プリントサイズを固定（たとえば、全画像に対して、プリント枚数１枚、プリントサイズＬ）としてもよい。これにより、ユーザが行う注文作業をより簡単に行うことができる。なお、プリントする画像のみ、又は、プリント枚数のみ、あるいはプリントサイズのみを選択できるようにしてもよい。
【図面の簡単な説明】
【０１３３】
【図１】本発明に係るプリントシステムの一実施の形態を示すシステム構成図
【図２】プリント受付装置と携帯機器の電気的構成を示すブロック図
【図３】プリント受付装置によるプリント受付処理の手順を示すフローチャート
【図４】プリント受付装置によるプリント受付処理の手順を示すフローチャート
【図５】プリント受付装置によるプリント受付処理の手順を示すフローチャート
【図６】タッチパネル付きモニタの画面表示の一例を示す図
【図７】タッチパネル付きモニタの画面表示の一例を示す図
【図８】タッチパネル付きモニタの画面表示の一例を示す図
【図９】タッチパネル付きモニタの画面表示の一例を示す図
【図１０】プリント取出口を二つ設置したプリント受付装置のプリント取り出し部の構成を示す斜視図
【符号の説明】
【０１３４】
１００…プリント受付装置、１１０…ステージ、１２０…タッチパネル付きモニタ、１３０…プリント取出口、１３２…カバー、１４０…マイコン、１５０…リーダ／ライタ、１６０…ＵＷＢ無線通信機、１７０…フラッシュメモリ、１８０…プリンタ、１９０…カバー開閉装置、２００…携帯機器、２１０…マイコン、２２０…ＵＷＢ無線通信機、２３０…非接触ＩＣチップ、２４０…フラッシュメモリ
【図１】
2007226344.tif 000003
【図２】
2007226344.tif 000004
【図３】
2007226344.tif 000005
【図４】
2007226344.tif 000006
【図５】
2007226344.tif 000007
【図６】
2007226344.tif 000008
【図７】
2007226344.tif 000009
【図８】
2007226344.tif 000010
【図９】
2007226344.tif 000011
【図１０】
2007226344.tif 000012